【手続補正書】
【提出日】平成28年11月29日(2016.11.29)
【手続補正１】
【補正対象書類名】特許請求の範囲
【補正対象項目名】全文
【補正方法】変更
【補正の内容】
【特許請求の範囲】
【請求項１】
シート材が載置される載置部を備えたシート材載置装置において、
上記載置部に設けられた凹部と、
該凹部に液体を供給する液体供給手段と、
該凹部内の液体を吸引する液体吸引手段とを備えることを特徴とするシート材載置装置。
【請求項２】
請求項１に記載のシート材載置装置において、
上記液体供給手段が上記凹部に供給する液体を貯留する液体貯留部と、
該液体貯留部に貯留される液体の温度を制御する液体温度制御手段とを備えることを特徴とするシート材載置装置。
【請求項３】
請求項２に記載のシート材載置装置において、
上記凹部には、上記液体供給手段が上記液体貯留部内の液体を供給する液体供給口と、
上記液体吸引手段が該凹部内の液体を吸引する液体吸引口とを、個別に設けることを特徴とするシート材載置装置。
【請求項４】
請求項３に記載のシート材載置装置において、
上記液体吸引口から吸引した液体を、上記液体貯留部内に送液し、液体を循環させる液体循環手段を備えることを特徴とするシート材載置装置。
【請求項５】
請求項２乃至４の何れかに記載のシート材載置装置において、
上記凹部と、上記液体供給手段と、上記液体貯留部と、上記液体温度制御手段との組み合わせを複数有し、
組み合わせ毎に、該液体供給手段による液体の供給、及び、該液体温度制御手段による該液体貯留部内の液体の温度制御を行うことが出来ることを特徴とするシート材載置装置。
【請求項６】
請求項１乃至５の何れかに記載のシート材載置装置において、
上記載置部に、上記凹部の周囲を連続的に囲う形状で、且つ、該載置部の表面よりも突出した形状の弾性部材を備えることを特徴とするシート材載置装置。
【請求項７】
請求項１乃至６の何れかに記載のシート材載置装置において、
上記載置部に載置されたシート材を該載置部を挟んで反対側から押圧する押圧手段を備えることを特徴とする記載のシート材載置装置。
【請求項８】
被記録媒体の表面に画像形成物質を含有した液滴を滴下する液滴吐出手段と、
表面上に液滴が滴下された該被記録媒体に、光線を照射して該液滴を硬化させる液滴硬化光線照射手段とを有する画像形成装置において、
上記液滴吐出手段が液滴を滴下するときに上記被記録媒体を載置する滴下時載置手段と、上記液滴硬化光線照射手段が光線を照射するときに該被記録媒体を載置する光照射時載置手段との少なくとも何れか一方として、請求項１乃至７の何れかに記載のシート材載置装置を用いることを特徴とする画像形成装置。
【手続補正２】
【補正対象書類名】明細書
【補正対象項目名】０１０３
【補正方法】変更
【補正の内容】
【０１０３】
以上に説明したものは一例であり、本発明は、次の態様毎に特有の効果を奏する。
（態様Ａ）
記録シート５０等のシート材が載置される載置台１０等の載置部を備えた被記録媒体載置装置２００等のシート材載置装置において、載置部に設けられた載置面凹部１３等の凹部と、凹部に吸着用液１１等の液体を供給する吸着用液供給吸引装置４００または吸着用液供給装置３００等の液体供給手段と、凹部内の液体を吸引する吸着用液供給吸引装置４００または吸着用液吸引装置５００等の液体吸引手段とを備える。
これによれば、実施形態について説明したように、凹部内の液体をシート材の載置部側の表面に接触させることで、被記録媒体の表面と載置部の表面との間の僅かな隙間は、液体によって塞がれ、被記録媒体の表面と載置部の表面とが密着する。この状態で、凹部内の液体を吸引することで、凹部に負圧が作用し、載置部に被記録媒体を吸着させることができ、被記録媒体の表面と載置部の表面とが密着しているため、圧が抜けることがなく、従来よりも吸着力を高めることができる。これにより、載置部から被記録媒体が浮き上がることを、載置部で空気を吸引する従来のものよりも抑制することができる。
（態様Ｂ）
態様Ａにおいて、吸着用液供給吸引装置４００または吸着用液供給装置３００等の液体供給手段が載置面凹部１３等の凹部に供給する吸着用液１１等の液体を貯留する吸着用液タンク２０等の液体貯留部と、液体貯留部に貯留される液体の温度を制御する温度制御部２８及び熱交換器２６等の液体温度制御手段とを備える。
これによれば、実施形態について説明したように、液体温度制御手段によって温度制御された液体を記録シート５０等のシート材の温度上昇を抑制することが可能であり、温度上昇に起因するシート材の湾曲の発生を抑制出来る。
（態様Ｃ）
態様Ｂにおいて、載置面凹部１３等の凹部には、吸着用液供給装置３００等の液体供給手段が吸着用液タンク２０等の液体貯留部内の吸着用液１１等の液体を供給する送液開口部１５等の液体供給口と、吸着用液吸引装置５００等の液体吸引手段が凹部内の液体を吸引する液体回収開口部１７等の液体吸引口とを、個別に設ける。
これによれば、実施例２について説明したように、液体による記録シート５０等のシート材の吸着を行いながら、吸着中も凹部内の液体を流すことが可能となる。このため、随時冷却された液体でシート材の被吸着面を冷却することによって冷却作用を高めることが可能となる。
（態様Ｄ）
態様Ｃにおいて、液体回収開口部１７等の液体吸引口から吸引した吸着用液１１等の液体を、吸着用液タンク２０等の液体貯留部内に送液し、液体を循環させる循環チューブ３３及び循環調整弁３４等の液体循環手段を備える。
これによれば、実施例３について説明したように、液体の消費量を気にすることなく、必要に応じて液体の流速を高める等、供給量を増加させることにより更なる高い冷却作用を得ることが可能となる。
（態様Ｅ）
態様Ｂ乃至Ｄの何れかの態様において、載置面凹部１３等の凹部と、吸着用液供給装置３００等の液体供給手段と、吸着用液タンク２０等の液体貯留部と、熱交換器２６等の液体温度制御手段との組み合わせを複数有し、組み合わせ毎に、液体供給手段による液体の供給、及び、液体温度制御手段による液体貯留部内の液体の温度制御を行うことが出来る。
これによれば、実施例６について説明したように、載置台１０等の載置部の位置に応じて、異なる温度設定が可能となる。
（態様Ｆ）
態様Ａ乃至Ｅの何れかの態様において、載置台１０等の載置部に、載置面凹部１３等の凹部の周囲を連続的に囲う形状で、且つ、載置部の表面よりも突出した形状のシール部材６７等の弾性部材を備える。
これによれば、実施例４について説明したように、記録シート５０等のシート材の平滑性が多少悪くとも、それに追従できる範囲で密閉空間を形成することができる。このため、シート材の表面の平滑性が多少悪くても対応することが出来、より多くの種類のシート材を取り扱うことが出来るようになる。
（態様Ｇ）
態様Ａ乃至Ｆの何れかの態様において、載置台１０等の載置部に載置された記録シート５０等のシート材を、載置部を挟んで反対側から押圧する押圧コロ６８等の押圧手段を備える。
これによれば、実施例５について説明したように、液体吸着の初期段階からシート材を載置部に対してより効果的に密着させるための補助を行うことが出来、密着作用の信頼性を高められる効果が得られる。
（態様Ｈ）
記録シート５０等の被記録媒体の表面にインク等の画像形成物質を含有した液滴を滴下するヘッドユニット６等の液滴吐出手段と、表面上に液滴が滴下された被記録媒体に、紫外線等の光線を照射して液滴を硬化させるＵＶランプ８等の液滴硬化光線照射手段とを有するプリンタ１００等の画像形成装置において、液滴吐出手段が液滴を滴下するときに被記録媒体を載置する滴下時載置手段と、液滴硬化光線照射手段が光線を照射するときに被記録媒体を載置する光照射時載置手段との少なくとも何れか一方として、態様Ａ乃至Ｇの何れかの態様の被記録媒体載置装置２００等のシート材載置装置を用いる。
これによれば、実施形態について説明したように、光照射時載置手段として使用した場合は、光線照射中に熱線の影響で被記録媒体が湾曲する内部歪が生じても、載置台１０等の載置部から被記録媒体が浮き上がることを抑制することができる。また、滴下時載置手段として使用した場合は、載置部における被記録媒体の位置が固定され、安定した画像形成を行うことが出来る。